(57)【特許請求の範囲】
【請求項１】
光ディスクに記録用レーザビームを照射してピットを形成しデータの記録を行う光ディスク装置であって、
記録信号に対応するパルス信号によって発光素子を駆動して記録用レーザビームを出射する発光駆動手段と、
前記レーザ発光駆動手段から出射される記録用レーザビームの光強度を検出して記録パルス波形を得る光強度検出手段と、
前記光ディスクからの反射光量レベルを検出して反射光量波形を得る反射光量検出手段と、
前記記録パルス波形と前記反射光量波形との差分信号を得る減算手段と、
前記差分信号と基準クロック信号との位相を比較して位相差を検出する位相比較手段と、
前記位相比較手段から出力される位相差信号を基に前記光ディスクに記録される前記記録信号を再生したときのジッタ量を推定し、前記ジッタ量に対応する補正データを生成する補正データ生成手段と、
前記補正データに基づき前記パルス信号のパルス幅を調整するパルス幅調整手段とを
有することを特徴とする光ディスク装置。
【請求項２】
請求項１記載の光ディスク装置において、
前記補正データ生成手段は、前記パルス信号の全てのパルス幅に対応するピット部とランド部の位相差信号をサンプルホールドする第１のサンプルホールド手段と、
前記パルス信号のうち所定のパルス幅に対応するピット部またはランド部の位相差信号をサンプルホールドする第２のサンプルホールド手段と、
前記第１のサンプルホールド手段の位相差信号と、前記第２のサンプルホールド手段の位相差信号とをそれぞれ積分して比較し、前記所定のパルス幅のジッタ量を推定するジッタ推定手段とを
有することを特徴とする光ディスク装置。
【請求項３】
請求項２記載の光ディスク装置において、
前記第２のサンプルホールド手段は、前記パルス信号の各パルス幅に対応するピット部またはランド部の位相差信号をサンプルホールドし、
前記ジッタ推定手段は、前記第１のサンプルホールド手段の位相差信号と、前記第２のサンプルホールド手段のパルス幅毎の位相差信号とをそれぞれ積分して比較し、各パルス幅毎のジッタ量を推定することを特徴とする光ディスク装置。
【請求項４】
請求項１記載の光ディスク装置において、
前記補正データ生成手段は、前記位相差信号を電流信号に変換する信号変換手段と、
前記パルス信号のうち所定のパルス幅に対応するピット部またはランド部の位相差信号に対応する電流信号をサンプルホールドするサンプルホールド手段と、
前記サンプルホールド手段でサンプルホールドした電流信号に基づき前記所定のパルス幅のジッタ量を推定するジッタ推定手段とを
有することを特徴とする光ディスク装置。
【請求項５】
請求項４記載の光ディスク装置において、
前記補正データ生成手段は、前記電流信号のサンプルホールド期間を設定する設定手段を更に有し、
前記サンプルホールド手段は、前記設定手段により設定されるサンプルホールド期間内に前記電流信号をサンプルホールドすることを特徴とする光ディスク装置。
【請求項６】
請求項５記載の光ディスク装置において、
前記設定手段は、前記パルス信号の極性反転位置を基準に所定のタイミングでサンプルホールドパルスを発生し、位相差信号に応答して前記信号変換手段の出力をリセットすることを特徴とする光ディスク装置。
【発明の詳細な説明】
【０００１】
【発明の属する技術分野】
本発明は光ディスク装置に関し、特に、ＣＤ−Ｒ等の追記型の光ディスクにデータ記録を行うことが可能な光ディスク装置に関する。
【０００２】
【従来の技術】
データ記録が可能な記録型の光ディスクには、ＣＤ−ＲやＤＶＤ−Ｒ等の追記型（ＷｒｉｔｅＯｎｃｅ）の光ディスクと、ＣＤ−ＲＷ等の書き換え可能型（Ｅｒａｓａｂｌｅ）の光ディスクとがある。
【０００３】
図６ は従来のデータ記録を行うことが可能な光ディスク装置の一例のブロック図を示す。同図中、スピンドルモータ１０は光ディスク１２を所定の回転速度で回転駆動する。スレッドモータ１４は光ピックアップ１６を光ディスク半径方向に移動させる。光ピックアップ１６は光学系対物レンズ、アクチュエータ、1/4 波長板、コリメータレンズ、ビームスプリッタ、発光素子（レーザダイオード）、受光素子（光検出器）等から構成されている。
【０００４】
レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【０００５】
ウォブル信号処理部２４はＡＴＩＰ信号の復調処理を行う。なお、記録型の光ディスクにはガイド用のプリグルーブ（溝）が設けられている。ＣＤ−Ｒの場合、プリグルーブは中心周波数２２．０５ｋＨｚで極僅かにラジアル方向にウォブル（蛇行）しており、ＡＴＩＰ（Ａｂｓｏｌｕｔｅ  ＴｉｍｅＩｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【０００６】
ＲＦアンプ２６は再生信号を増幅するヘッドアンプである。このＲＦアンプ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【０００７】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、メディアの記録時の特性に合わせたデータ補正処理を行う。このときの補正量は記録層の特性、記録レーザビームのプロファイル、記録を行う線速度等により変化する。
【０００８】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【０００９】
ＣＰＵ４２はメカ動作を含むＣＤ−Ｒドライブ全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
【００１０】
ＣＤ−Ｒ等の記録が可能な光ディスク装置では、データの記録の際に正確なピットを形成するために、下記のような工夫がなされている。
【００１１】
（１）ストラテジ（記録パルス幅）の設定。記録データは、ＥＦＭ変調されて３Ｔ〜１１Ｔ（Ｔは標準速度（１倍速）にて周波数４．３２ＭＨｚの１周期で約２３６ｍｓｅｃ）のパルス幅で記録されるが、記録パルス幅にあった正確なピット形成を行うために、光ディスク毎に最適なストラテジ( 記録光パルス幅）を設定する。この情報は、ＣＤ−Ｒ光ディスクに参照値として予め記録されている。
【００１２】
（２）記録パワーの設定（ＯＰＣ）。ＯＰＣ（Ｏｐｔｉｍｕｍ  Ｐｏｗｅｒ  Ｃｏｎｔｒｏｌ）は、記録時のレーザビームのパワーを最適にするために考えられたもので、光ディスクの中心部のＰＣＡ（Ｐｏｗｅｒ  ＣａｌｉｂｒａｔｉｏｎＡｒｅａ）において、レーザパワーを段階的に１５ステップ変化させてテスト信号を記録した後、その部分を再生してＲＦ信号のエンベロープのピーク（Ｐ）とボトム（Ｂ）の電圧を検出し、β＝（Ｐ＋Ｂ）／（Ｐ−Ｂ）で得た値βが所定値（例えば０．０４）に最も近い段階の記録パワーを最適記録パワーとして設定する。
【００１３】
（３）パワードの設定。ピットを形成する際、通常レーザビームの記録パワーは一定に保持されるが、レーザビームの照射直後は光ディスク上の温度が低く、照射時間の経過に伴い温度が上昇していくという変化が生じることから、涙滴型のピットが形成されピット形成が安定しない。そこで、レーザビーム照射開始から所定時間( 例えば１．５Ｔ）は記録パワーを通常よりも強くするパワード設定することによって、一定幅のピットを形成するようにする。
【００１４】
（４）ランニングＯＰＣ。記録時における光ディスクからの反射光量( 戻り光量に基づいて、記録パワーが最適となるように常時記録パワーを補正する。
【発明が解決しようとする課題】
データの記録に際して安定したピット形成のために必要な制御要素としては、記録パワーとストラテジの２つが挙げられる。記録パワーは、データ記録の前にＰＣＡにおいて最適記録パワーを設定し、データ記録中は、ランニングＯＰＣによって常時記録パワーを補正するといった２段構えの制御で最適化が図られている。
【００１５】
ちなみに、ランニングＯＰＣでは、光ディスクからの反射光量（戻り光量）が最大となるタイミングで検出される反射光量レベル（レベルＡ）と、反射光量が安定するタイミングで検出される反射光量レベル（レベルＢ）とから、変調度に相当する値（Ａ−Ｂ）／Ａを求め、この値が一定の値（最適レベル）になるように記録パワーを制御するのが一般的である。この方法については、特許番号２８６７５１９号公報に記載されている。一方、ストラテジは、上記のように光ディスクに参照値として予め記録されているため、光ディスクがドライブに装着されたときに参照値を読み込み、読み込んだ値を最適ストラテジとして設定して記録時の制御値としている。従って、最適ストラテジの設定値は固定値であり、ランニングＯＰＣのように、記録時に常時補正されるということがないため、ピット形成時の余熱の影響などにより形成されるピットの長さ（ピット長）が不安定になっても、それを吸収することができず、ピットの形成ムラが再生時にジッタとして発生し、データの再生に影響を与えるといった問題があった。
【００１６】
本発明は、上記の点に鑑みなされたもので、再生ジッタ量を推定してジッタ量に応じて記録パルス幅の補正を行うことにより、記録パルス幅を最適化することができる光ディスク装置を提供することを目的とする。
【００１７】
【課題を解決するための手段】
請求項１に記載の発明は、光ディスクに記録用レーザビームを照射してピットを形成しデータの記録を行う光ディスク装置であって、
記録信号に対応するパルス信号によって発光素子を駆動して記録用レーザビームを出射する発光駆動手段と、
前記レーザ発光駆動手段から出射される記録用レーザビームの光強度を検出して記録パルス波形を得る光強度検出手段と、
前記光ディスクからの反射光量レベルを検出して反射光量波形を得る反射光量検出手段と、
前記記録パルス波形と前記反射光量波形との差分信号を得る減算手段と、
前記差分信号と基準クロック信号との位相を比較して位相差を検出する位相比較手段と、
前記位相比較手段から出力される位相差信号を基に前記光ディスクに記録される前記記録信号を再生したときのジッタ量を推定し、前記ジッタ量に対応する補正データを生成する補正データ生成手段と、
前記補正データに基づき前記パルス信号のパルス幅を調整するパルス幅調整手段とを有する。
【００１８】
このように、差分信号と基準クロック信号との位相を比較して位相差を検出して記録信号を再生したときのジッタ量を推定し、ジッタ量に対応する補正データに基づきパルス信号のパルス幅を調整することにより、記録パルス幅を最適化してピット形成時のピットの長さを安定させることができ、再生時のジッタを低減することができる。
【００１９】
請求項２に記載の発明は、請求項１記載の光ディスク装置において、
前記補正データ生成手段は、前記パルス信号の全てのパルス幅に対応するピット部とランド部の位相差信号をサンプルホールドする第１のサンプルホールド手段と、
前記パルス信号のうち所定のパルス幅に対応するピット部またはランド部の位相差信号をサンプルホールドする第２のサンプルホールド手段と、
前記第１のサンプルホールド手段の位相差信号と、前記第２のサンプルホールド手段の位相差信号とをそれぞれ積分して比較し、前記所定のパルス幅のジッタ量を推定するジッタ推定手段とを有する。
【００２０】
このように、パルス信号の全てのパルス幅に対応するピット部とランド部の位相差信号をサンプルホールドし、所定のパルス幅に対応するピット部またはランド部の位相差信号をサンプルホールドして、それぞれを積分して比較することにより、所定のパルス幅のジッタ量を推定することができる。
【００２１】
請求項３に記載の発明は、請求項２記載の光ディスク装置において、
前記第２のサンプルホールド手段は、前記パルス信号の各パルス幅に対応する位相差信号をサンプルホールドし、
前記ジッタ推定手段は、前記第１のサンプルホールド手段の位相差信号と、前記第２のサンプルホールド手段のパルス幅毎の位相差信号とをそれぞれ積分して比較し、各パルス幅毎のジッタ量を推定する。
【００２２】
このように、パルス信号の全てのパルス幅に対応するピット部とランド部の位相差信号をサンプルホールドし、各パルス幅に対応するピット部またはランド部の位相差信号をサンプルホールドして、それぞれを積分して比較することにより、各パルス幅のジッタ量を正確に推定することができる。
【００２３】
請求項４に記載の発明は、請求項１記載の光ディスク装置において、
前記補正データ生成手段は、前記位相差信号を電流信号に変換する信号変換手段と、
前記パルス信号のうち所定のパルス幅に対応するピット部またはランド部の位相差信号に対応する電流信号をサンプルホールドするサンプルホールド手段と、
前記サンプルホールド手段でサンプルホールドした電流信号に基づき前記所定のパルス幅のジッタ量を推定するジッタ推定手段とを有する。
【００２４】
このように、位相差信号を電流信号に変換しパルス信号のうち所定のパルス幅に対応するピット部またはランド部の位相差信号に対応する電流信号をサンプルホールドしてサンプルホールドした電流信号に基づき所定のパルス幅のジッタ量を推定するため、比較的簡単な構成とすることができる。
【００２５】
請求項５に記載の発明は、請求項４記載の光ディスク装置において、
前記補正データ生成手段は、前記電流信号のサンプルホールド期間を設定する設定手段を更に有し、
前記サンプルホールド手段は、前記設定手段により設定されるサンプルホールド期間内に前記電流信号をサンプルホールドする。
【００２６】
請求項６に記載の発明は、請求項５記載の光ディスク装置において、
前記設定手段は、前記パルス信号の極性反転位置を基準に所定のタイミングでサンプルホールドパルスを発生し、位相差信号に応答して前記信号変換手段の出力をリセットする。
【００２７】
【発明の実施の形態】
図１は、本発明の光ディスク装置の一実施例のブロック図を示す。同図中、図１０と同一部分には同一符合を付す。図１において、スピンドルモータ１０は光ディスク１２を所定の回転速度で回転駆動する。スレッドモータ１４は光ピックアップ１６を光ディスク半径方向に移動させる。光ピックアップ１６は光学系対物レンズ、アクチュエータ、１／４波長板、コリメータレンズ、ビームスプリッタ、発光素子（レーザダイオード）、受光素子（光検出器）等から構成されている。  レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【００２８】
減算器５０は光ピックアップ１６内の光検出器が出力する光ディスク１２からの反射光量（戻り光量）レベルから、フロントモニタ２０からのレーザビームのパワーレベルを減算して得た差分信号を位相差検出回路５２に供給する。位相差検出回路５２はこの差分信号から再生ジッタ量を推定してＣＰＵ４２に供給する。ＣＰＵ４２は再生ジッタ量に応じた補正データを生成してＣＤエンコード／デコード回路３４を通し記録補償回路３６に供給する。
【００２９】
ウォブル信号処理部２４はＡＴＩＰ信号の復調処理を行う。なお、記録型の光ディスクにはガイド用のプリグルーブ（溝）が設けられている。ＣＤ−Ｒの場合、プリグルーブは中心周波数２２．０５ｋＨｚで極僅かにラジアル方向にウォブル（蛇行）しており、ＡＴＩＰ（Ａｂｓｏｌｕｔｅ  Ｔｉｍｅ  Ｉｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【００３０】
ＲＦアンプ２６は再生信号を増幅するヘッドアンプである。このＲＦアンプ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【００３１】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、ＣＰＵ４２からＣＤエンコード／デコード回路３４を通して送られてくる補正データに従ってメディアの記録時の特性に合わせたデータ補正処理を行う。
【００３２】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【００３３】
ＣＰＵ４２はメカ動作を含むＣＤ−Ｒドライブ全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
【００３４】
図２は位相差検出回路５２及びその周辺回路の第１実施例のブロック図を示す。同図中、減算器５０は光ピックアップ１６内の光検出器が出力する光ディスク１２からの反射光量（戻り光量）レベルから、フロントモニタ２０からのレーザビームのパワーレベルを減算して得た差分信号を位相差検出回路５２の二値化器１００に供給する。上記の差分信号のレベルは、光ディスク上のピットを再生パワーで再生したものにほぼ等しくなる。二値化器１００は差分信号を所定のスライスレベルに基づいて二値化する。
【００３５】
位相比較器１０２とチャージポンプ１０４と低域フィルタ（ＬＰＦ）１０６とＶＣＯ（電圧制御型発振器）１０８と分周器１１０によって、ＰＬＬ（フェーズロックトループ）回路が構成されている。位相比較器１０２は、二値化器１００から供給される差分パルス（疑似再生パルス）と、ＶＣＯ１０８の出力するクロック周波数を分周器１１０で所定の分周比で分周して得た周波数４．３２１８ＭＨｚ（１倍速）のクロックパルスとの位相比較を行う。
【００３６】
１２倍速の場合、クロックパルスの周波数は５１．８６１６ＭＨｚになる。チャージポンプ１０４は、パルス波形の位相比較信号を電流信号に変換する。低域フィルタ１０６は、チャージポンプから出力される電流信号を積分して平滑化し、直流電圧の位相差信号にする。ＶＣＯ１０８は、ＬＰＦ位相差信号に基づいて所定周波数のクロックパルスを生成して出力する。分周器１１０は、ＶＣＯ１０８から供給されるクロックパルスを所定の分周比で分周して、位相比較器１０２に供給する。
【００３７】
全Ｔサンプルホールド回路１１２は、パルス幅３Ｔ〜１１Ｔ全てについてピット部及びランド部の位相誤差信号をサンプルホールドする。なお、記録データはＥＦＭ変調されて３Ｔ〜１１Ｔ（Ｔは標準速度つまり１倍速にて周波数４．３２１８ＭＨｚの基準クロックの１周期）のパルス幅で記録される。特定Ｔサンプルホールド回路１１４は、パルス幅３Ｔ〜１１Ｔのうち特定のパルス幅を有するパルス（例えばパルス幅３Ｔ）のピット部（またはランド部）をサンプルホールドする。厳密には、各パルス幅毎に対応するサンプルホールド回路を設けてサンプルホールドを行っている。
【００３８】
図３に示す信号波形図と共に動作について説明する。図３（Ａ）に示すような記録パルスに基づきレーザドライバによって光ピックアップ１６内のレーザダイオードが発光駆動され、レーザビームにより記録データが記録される。フロントモニタ２０は、レーザダイオードから出射されるレーザビームから図３（Ａ）に示す記録パワーレベルを検出し、増幅器を介して減算器５０に供給する。
【００３９】
光ピックアップ１６内の光検出器は、光ディスクからの戻り光から図３（Ｂ）に示す波形の反射光量レベルを検出し、増幅器を介して減算器５０に供給する。減算器は、反射光量レベル（図３（Ｂ））から記録パワーレベル（図３（Ａ））を減算し、図３（Ｃ）に示す差分信号を二値化器１００に供給する。差分信号は、上記の通り、光ディスク上のピットを再生パワーで再生したものにほぼ等しくなる。二値化器１００では、所定のスライスレベルに基づき、差分信号を二値化する。二値化器１００から出力される図３（Ｄ）に示す差分パルス（疑似再生パルス）は、ＰＬＬ回路の位相比較器１０２に供給される。
【００４０】
位相比較器１０２では、差分パルス（図３（Ｄ））と分周器１１０から供給される図３（Ｅ）に示すクロックパルスとの位相比較を行い、位相比較信号を出力する。この位相比較は、ピット部とランド部の両方で行われる。全Ｔサンプルホールド回路１１２では、ピット部及びランド部における全てのパルス幅（３Ｔ〜１１Ｔ）の位相差信号のサンプリングを行い、サンプル信号をＡ／Ｄコンバータ１１６でディジタル化してＣＰＵ４２に供給する。特定Ｔサンプルホールド回路１１４では、ピット部（またはランド部）における特定のパルス幅（例えば３Ｔパルス）の位相差信号のサンプリングを行い、サンプル信号をＡ／Ｄコンバータ１１８でディジタル化してＣＰＵ４２に供給する。
【００４１】
ＣＰＵ４２では、全Ｔサンプルホールド回路１１２から供給されるサンプルデータを積分してリファレンスデータを生成する。これは各パルス幅のピット部とランド部の位相差にはばらつきがあるが、全てのパルス幅のピット部とランド部のサンプルデータを積分すると位相差が０となる。これと共に、特定Ｔサンプルホールド回路１１４から供給されるピット部（またはランド部）のサンプルデータを積分し特定のパルス幅（例えば３Ｔパルス）の誤差レベル（ジッタ量）データを推定する。
【００４２】
そして、生成したリファレンスデータと特定パルス幅の誤差レベルデータとを比較し、そのパルスの位相が進んでいるか否かを判定する。その結果、特定パルス幅の積分値が大で、そのパルスの位相が進んでいると判定した場合は特定パルス幅のパルスのピット形成時間を延長するための補正データを生成して記録補償回路３６に供給し、特定パルス幅の積分値が小で、そのパルスの位相が遅れていると判定した場合は特定パルス幅のピット形成時間を短縮するための補正データを生成して記録補償回路３６に供給する。位相の進み／遅れの判定は、例えば、特定パルス幅の誤差レベルがリファレンスレベルよりも大きい場合は位相が進んでおり、小さい場合は遅れているというように判定する。
【００４３】
位相差は、そのまま補正データに反映されて出力される。図３では、特定パルス幅のパルスとして３Ｔパルスを例に示している。３Ｔパルスの場合、二値化器１００からの差分パルス（図３（Ｄ））とクロックパルス（図３（Ｅ））との位相差がゼロの場合、差分パルスのローレベル期間は、クロックパルス３周期（実線範囲）と一致する。しかし、差分パルスの３Ｔの周期が標準より長かったり短かったりすると（点線部分）、その差は位相誤差（ジッタ成分）として現れる。この位相誤差を特定Ｔサンプルホールド回路１１４によってサンプリングして積分すると、３Ｔパルスの平均的な位相誤差量が得られる。この誤差量を、３Ｔピット形成時のパルス幅（ストラテジ）の補正データとしてフィードバックすることにより、データ記録時における３Ｔパルスでのピット形成が安定し、結果的に再生ジッタを低減することができる。このような補正データの生成とパルス幅（ストラテジ）の制御を３Ｔ以外の全てのパルス幅についても行うことにより、より正確なピット形成、即ちデータ記録を行うことができ、再生時のジッタの発生を抑制することができる。
【００４４】
このように、記録パルスと光ディスクからの反射光量（戻り光量）波形を基に再生ジッタ量を推定し、この推定値に対応する補正データにより、記録パルス幅（ストラテジ）を可変制御するので、ランニングＯＰＣのように、記録時に常時ストラテジを補正して最適化を図ることが可能になり、データ記録の安定化を図ることができる。また、再生時のジッタを低減することができ、再生精度を向上することが出来る。また、ストラテジ設定情報の暖昧な光ディスクであっても、ストラテジを自動調整することができることから、良好なデータ記録再生を行うことができる。
【００４５】
図４は位相差検出回路５２及びその周辺回路の第２実施例のブロック図を示す。同図中、図２と同一部分には同一符号を付す。図４において、減算器５０は光ピックアップ１６内の光検出器が出力する光ディスク１２からの反射光量（戻り光量）レベルから、フロントモニタ２０からのレーザビームのパワーレベルを減算して得た差分信号を位相差検出回路５２の二値化器１００に供給する。上記の差分信号のレベルは、光ディスク上のピットを再生パワーで再生したものにほぼ等しくなる。二値化器１００は差分信号を所定のスライスレベルに基づいて二値化する。
【００４６】
位相比較器１０２とチャージポンプ１０４と低域フィルタ（ＬＰＦ）１０６とＶＣＯ（電圧制御型発振器）１０８と分周器１１０によって、ＰＬＬ（フェーズロックトループ）回路が構成されている。位相比較器１０２は、二値化器１００から供給される差分パルス（疑似再生パルス）と、ＶＣＯ１０８の出力するクロック周波数を分周器１１０で所定の分周比で分周して得た周波数４．３２１８ＭＨｚ（１倍速）のクロックパルスとの位相比較を行う。
【００４７】
１２倍速の場合、クロックパルスの周波数は５１．８６１６ＭＨｚになる。チャージポンプ１０４は、パルス波形の位相比較信号を電流信号に変換する。低域フィルタ１０６は、チャージポンプから出力される電流信号を積分して平滑化し、直流電圧の位相差信号にする。ＶＣＯ１０８は、ＬＰＦ位相差信号に基づいて所定周波数のクロックパルスを生成して出力する。分周器１１０は、ＶＣＯ１０８から供給されるクロックパルスを所定の分周比で分周して、位相比較器１０２に供給する。
【００４８】
チャージポンプ１２０は、位相比較器１０２から供給されるパルス波形の位相比較信号を電流信号に変換する。この出力電流はコンデンサ１２１に蓄積される。スイッチ１２２はＣＰＵ４２の制御によりオン時に電源よりリファレンス電流を流す。その電源電圧は、例えば０Ｖ〜５Ｖの範囲で設定される。各Ｔサンプルホールド回路１２４は、ＣＰＵ４２より記録補償回路３６の出力する記録パルスの極性反転（立ち上がりエッジ及び立ち下がりエッジ）に応答してサンプリングパルスを供給されてチャージポンプ１０４の出力値を各Ｔ毎にサンプルホールドする。Ａ／Ｄコンバータ１２６は、各Ｔ毎に上記サンプルホールド値つまり位相差データをディジタル化してＣＰＵ４２に供給する。
【００４９】
ＣＰＵ４２は供給される位相差データを補正データに反映して、ＣＤエンコード／デコード回路３４を通して記録補償回路３６に供給する。また、位相比較器１０２から供給されるパルス波形の位相比較信号を監視し、パルス波形の極性反転検出に対応してリセット信号を送出しスイッチ１２２を瞬間的にオンさせる。
【００５０】
図５に示す信号波形図と共に動作について説明する。位相比較器１０２では、分周器１１０から供給される図５（Ａ）に示すクロックパルスと二値化器１００から供給される図５（Ｂ）に示す差分パルス（疑似再生パルス）との位相比較を行い、図５（Ｃ）に示す位相比較信号を出力する。図５（Ａ）の波形と図５（Ｂ）の波形の間に示す破線が、本来理想とする差分パルスの立ち上がり位置及び立ち下がり位置を示しており、図５（Ｇ）に示す記録パルスと一致する。位相比較器１０２はクロックパルスと差分パルスの位相差を検出したときにパルスを発生し、そのパルス幅は位相差量を示している。また、ピット検出（立ち上がり検出）の時は正パルスを発生し、ランド検出（立ち下がり検出）の時は負パルスを発生する。チャージポンプ１２０は位相比較信号が供給されると、そのパルス幅に応じてチャージ電流を大きくして図５（Ｄ）に示す波形の信号を出力する。
【００５１】
各Ｔサンプルホールド回路１２４ではＣＰＵ４２から供給される図５（Ｅ）に示すサンプリングパルスに基づいてチャージポンプ１２０が出力する電流値をサンプルホールドする。サンプリングパルスは、例えば記録パルスの次の反転が起きる直前の１Ｔでオープン（立ち上がり）になり、位相比較信号のパルス立ち上がり（極性反転）に応答してクローズ（立ち下がり）する。オープンタイミングは、記録補償回路３６から供給される記録パルスを監視して記録パルスの反転タイミングを検出し、例えば反転タイミングの１Ｔ手前でパルスを発生するように制御する。
【００５２】
図５（Ｆ）に示すリセットパルスは、位相比較信号の立ち上がり（極性反転）に応答して送出され、リセットパルスに応答してスイッチ１２２がオンになると、リファレンス電流が印加されチャージポンプ１２０出力がリファレンスレベルにリセットされる。各Ｔサンプルホールド回路１２４によりホールドされた電圧値は、Ａ／Ｄコンバータ１２６から位相差データとしてＣＰＵ４２に供給され、ＣＰＵ４２は供給される位相差データをパルス幅の補正データに反映してＣＤエンコード／デコード回路３４に供給する。
【００５３】
本実施例の構成でサンプルホールドを行うことにより、図２に示す回路よりも比較的簡単な構成とすることができる。また、チャージポンプ１２０と各Ｔサンプルホールド回路１２４との間にスイッチ１２２を設け、サンプルホールド後に、位相比較信号の極性反転に応答してリファレンスレベルでチャージポンプ１２０出力をリセットすることにより、前パルスの位相差分の影響を受けることなく、次パルスの位相差分のみをサンプルホールドすることができる。
【００５４】
なお、レーザドライバ１８が請求項記載の発光駆動手段に対応し、フロントモニタ２０が光強度検出手段に対応し、光ピックアップ１６が反射光量検出手段に対応し、減算器５０が減算手段に対応し、位相比較器１０２が位相比較手段に対応し、位相差検出回路５２及びＣＰＵ４２が補正データ生成手段に対応し、記録補償回路３６がパルス幅調整手段に対応し、チャージポンプ１２０，スイッチ１２２が信号変換手段に対応し、各Ｔサンプルホールド回路１２４がサンプルホールド手段に対応し、ＣＰＵ４２がジッタ推定手段に対応し、ＣＰＵ４２が設定手段に対応する。
【００５５】
【発明の効果】
上述の如く、請求項１に記載の発明は、差分信号と基準クロック信号との位相を比較して位相差を検出して記録信号を再生したときのジッタ量を推定し、ジッタ量に対応する補正データに基づきパルス信号のパルス幅を調整することにより、記録パルス幅を最適化してピット形成時のピットの長さを安定させることができ、再生時のジッタを低減することができる。
【００５６】
請求項２に記載の発明は、パルス信号の全てのパルス幅に対応するピット部とランド部の位相差信号をサンプルホールドし、所定のパルス幅に対応するピット部またはランド部の位相差信号をサンプルホールドして、それぞれを積分して比較することにより、所定のパルス幅のジッタ量を推定することができる。
【００５７】
請求項３に記載の発明は、パルス信号の全てのパルス幅に対応するピット部とランド部の位相差信号をサンプルホールドし、各パルス幅に対応するピット部またはランド部の位相差信号をサンプルホールドして、それぞれを積分して比較することにより、各パルス幅のジッタ量を正確に推定することができる。
【００５８】
請求項４に記載の発明は、位相差信号を電流信号に変換しパルス信号のうち所定のパルス幅に対応するピット部またはランド部の位相差信号に対応する電流信号をサンプルホールドしてサンプルホールドした電流信号に基づき所定のパルス幅のジッタ量を推定するため、比較的簡単な構成とすることができる。
【図面の簡単な説明】
【図１】本発明の光ディスク装置の一実施例のブロック図である。
【図２】位相差検出回路５２及びその周辺回路の第１実施例のブロック図である。
【図３】本発明を説明するための信号波形図である。
【図４】位相差検出回路５２及びその周辺回路の第２実施例のブロック図である。
【図５】本発明を説明するための信号波形図である。
【図６】従来の光ディスク装置の一例のブロック図である。
【符号の説明】
１６  光ピックアップ
１８  レーザドライバ
２０  フロントモニタ
３４  ＣＤエンコード／デコード回路
３６  記録補償回路
３８  ＣＤエンコード／デコード回路
４２  ＣＰＵ
５０  減算器
５２  位相差検出回路
１００  二値化器
１０２  位相比較器
１０４，１２０  チャージポンプ
１０６  低域フィルタ
１０８  ＶＣＯ
１１０  分周器
１１２  全Ｔサンプルホールド回路
１１４  特定Ｔサンプルホールド回路
１１６，１１８，１２６  Ａ／Ｄコンバータ
１２０  スイッチ
１２４  各Ｔサンプルホールド回路
【図１】
0003760720.tif 000002
【図２】
0003760720.tif 000003
【図３】
0003760720.tif 000004
【図４】
0003760720.tif 000005
【図５】
0003760720.tif 000006
【図６】
0003760720.tif 000007